(57)【要約】【課題】簡易な方法でボッチャボールの重量調整ができるボッチャボールの重量調整用器具の提供。【解決手段】  本考案のボッチャボールの重量調整用器具１は、筒状のパイプ部２と、押込ロッド３と、開口部材４と、から構成される。パイプ部２の一端部２１は斜めにカットされた形状をなし、他端部２２は径が広くなっている。パイプ部２は、ボッチャボールの縫目に一端部２１を挿入し重量調整を行う。押込みロッド３は、パイプ部２の内径よりも小さい外径を有し、パイプ部２に挿入することで、内容物をボッチャボール内に押し込む。開口部材４は略円錐形状であって、ボッチャボールの縫目に挿入して開くために用いられる。【選択図】図１
0003234939.tif 000002
【実用新案登録請求の範囲】
【請求項１】
筒状のパイプ部は、一端部と他端部とを有し、
前記一端部は、端に向かうにつれて内径が大きくなるように構成されていて、
前記他端部は、端面が斜めにカットされた形状をなし、ボッチャボールに挿入可能であることを特徴とするボッチャボールの重量調整用器具。
【請求項２】
前記パイプ部の内径よりの小さい外径を有し、前記パイプ部よりも長い押込ロッドをさらに有することを特徴とする請求項１に記載のボッチャボールの重量調整用器具。
【請求項３】
前記ボッチャボールの縫い目の交点に挿入される被挿入部を有し、前記被挿入部が円錐形状の先端に設けられている開口部材をさらに有することを特徴とする請求項１または２に記載のボッチャボールの重量調整用器具。
【考案の詳細な説明】
【技術分野】
【０００１】
本考案は、ボッチャボールの重量調整用器具に関する。
【背景技術】
【０００２】
ボッチャは、重度脳性麻痺者又は同程度の四肢重度機能障害者のために考案されたスポーツであってパラリンピック（登録商標）の正式種目に認定されている。ボッチャでは、ジャックボールと呼ばれる白いボールに両者がボッチャボールを投げ合い、よりジャックボールに近づけたチームが勝者となる。ボッチャボールのサイズ、重量、素材は、規格によって所定の範囲に収まるように定められている。選手は、ボッチャボールをジャックボールに寄せたり積み上げたりするため、素材、重量、質感等を選択し、最適なボッチャボールを使用する。
【０００３】
ボッチャボールの表面は、合皮やフェルト等の弾性素材で形成されており、内部に粉粒体が重点され、一部空間部分が規定される（特許文献１）。内部の粉粒体は大きさの異なる２種類を混ぜることによって回転速度をスムーズに徐々に遅くさせることができる。粉粒体には、ペレット樹脂や小さい珪砂が用いられる。
【０００４】
ボッチャボールの重量は、２６３ｇから２８７ｇの間と規定されているが、内部に入れる粉粒体の素材に決まりはない。ボッチャボールの重量を調整するために、粉粒体の種類を変える、異なる種類の粉粒体の種類を混ぜる、粉粒体を追加・除去する、といったことが行われる。
【先行技術文献】
【特許文献】
【０００５】
【特許文献１】実用新案登録第３２２０００１号
【考案の概要】
【考案が解決しようとする課題】
【０００６】
しかしながら、ボッチャボールの重量を調整するためには縫い目を開き、内部の粉粒体の取り出し、補充、入れ替えなどを行い、再び縫製を行う必要があるため、非常に手間がかかっていた。これまでは、ボッチャボールの重量調整のための専用器具が存在しなかったため、手作業によってボッチャボールの重量調整作業を行っており、時間がかかっていた。
【０００７】
そこで、本考案では、簡易な方法でボッチャボールの重量調整ができるボッチャボールの重量調整用器具を提供することを目的とする。
【課題を解決するための手段】
【０００８】
上記課題を解決するために本考案は、筒状のパイプ部は、一端部と他端部とを有し、前記一端部は、端に向かうにつれて内径が大きくなるように構成されていて、前記他端部は、端面が斜めにカットされた形状をなし、ボッチャボールに挿入可能であることを特徴とするボッチャボールの重量調整用器具を提供している。
【０００９】
第２の考案では、第１の考案のボッチャボールの重量調整用器具であって、前記パイプ部の内径よりの小さい外径を有し、前記パイプ部よりも長い押込ロッドをさらに有することを特徴としている。
【００１０】
第３の考案では、第１の考案又は第２の考案に記載のボッチャボールの重量調整用器具であって、前記ボッチャボールの縫い目の交点に挿入される被挿入部を有し、前記被挿入部が円錐形状の先端に設けられている開口部材をさらに有することを特徴としている。
【考案の効果】
【００１１】
第１の考案によると、筒状のパイプ部の一端部が斜めにカットされた形状であるため、ボッチャボールに挿入しやすい構造となっている。また、パイプ部が筒状であるため、ボッチャボールに一端を挿入してボッチャボールを握ることにより、内部の粉粒体を取り出すことができる。これにより、簡易な方法でボッチャボールの重量調整を行うことができる。
【００１２】
第２の考案によると、押込ロッドをさらに有しているため、ボッチャボールに粉粒体を追加するときにパイプ部内の粉粒体をボッチャボールに押し込むことができる。さらに、パイプ部の他端部が端に向かうにつれて内径が大きくなるように構成されているため、押込ロッドをパイプ部に押込み易い。これにより、簡易な方法でボッチャボールの重量調整を行うことができる。
【００１３】
第３の考案によると、開口部材をさらに有しているため、被挿入部をボッチャボールの縫目に挿入することで縫糸を切断することなくボッチャボールを開くことができ、容易にパイプ部を挿入することができる。また、重量調整後も縫い直し等が不要となり、ボッチャボールに形成された開口の周囲を指で寄せることにより塞ぐことができる。これにより、簡易な方法でボッチャボールの重量調整を行うことができる。
【００１４】
本考案によると、簡易な方法でボッチャボールの重量調整ができるボッチャボールの重量調整用器具を提供することができる。
【図面の簡単な説明】
【００１５】
【図１】本考案の実施の形態のボッチャボールの重量調整用器具の斜視図。
【図２】本考案の実施の形態のボッチャボールの重量調整用器具を用いてボッチャボールの重量調整方法を説明する図であって、図２（ａ）はボッチャボールの縫目に開口部材を挿入したときの図、図２（ｂ）はパイプ部をボッチャボールの開口に挿入するときの図、図２（ｃ）はパイプ部をボッチャボールの開口に挿入した図、図２（ｄ）は指でボッチャボールの開口を塞ぐ図。
【図３】本考案の実施の形態のボッチャボールの重量調整用器具でボッチャボールに粉粒体を追加するときの図。
【図４】本考案の実施の形態のボッチャボールの重量調整用器具でボッチャボールから粉粒体を取り出すときの図。
【考案を実施するための形態】
【００１６】
本考案の実施の形態によるボッチャボールの重量調整用器具１は、ボッチャボール１０の内部に封入されている粉粒体１１の取り出し、追加、入れ替えを行うための器具である。図１に示すように、重量調整用器具１は、パイプ部２と、押込ロッド３と、開口部材４と、から構成される。
【００１７】
パイプ部２は長さ１８５ｍｍで外径６．８ｍｍの透明ポリエチレン製の略円筒形状であって、一端部２１と、他端部２２と、を有している。一端部２１は、斜めにカットされた形状であって、カットされた部分の上下方向の長さは５ｍｍである。他端部２２は上に向かうにつれて徐々に拡径しており、端部の内径は９．７ｍｍである。パイプ部２のサイズ、形状、素材はこれに限定されず、粉粒体１１の形状やボッチャボール１０の種類に応じて、適宜変更することができる。また、パイプ部２の外径は６．３ｍｍから７．２ｍｍの範囲であることが望ましい。パイプ部２の外径が太すぎると一端部２１をボッチャボール１０に挿入し難くなるとともに、パイプ部２をボッチャボール１０から引き抜いた後の開口１０ａが広がりすぎてしまうため縫製等が必要となる。パイプ部２の外径が細すぎると、ボッチャボール１０の粉粒体１１の流れが悪くなってしまう。
【００１８】
押込ロッド３は、長さ２３５ｍｍでパイプ部２の内径よりも僅かに小さい４．５ｍｍの外径を有する。押込ロッド３は、パイプ部２を介してボッチャボール１０に粉粒体１１を追加する際に用いる。押込ロッド３のサイズは、この寸法に限定されず、粉粒体１１の形状やボッチャボール１０の種類に応じて、適宜変更することができる。押込ロッド３は指への引っ掛かりを考慮して捻じった形状となっているが、単なる円柱形状であってもよい。
【００１９】
開口部材４は、略円錐形状をなし先端に被挿入部４１を有していて、被挿入部４１をボッチャボール１０の縫目に挿入することにより当該縫目を開く。開口部材４は、軽量化のために内部が中空となっている。本実施の形態では、開口部材４の被挿入部４１は直径２ｍｍ、他端は直径１４ｍｍ、長さ３４ｍｍであるが、これに限定されず任意の寸法とすることができる。
【００２０】
次に、ボッチャボール１０の重量調整方法を図２から図４に基づいて説明する。
【００２１】
ボッチャボール１０は、国際ボッチャ競技連盟が規定しているロールテストに合格することができる程度に調整することが好ましい。ロールテストでは、ボッチャボール１０の重量、外径、転がり抵抗が定められている。転がり抵抗は、長さ２９０ｍｍ、傾斜２５°のアルミニウムランプを使用し、ボールは力を加えずに転がしたとき、１００ｍｍ幅の水平アルミのｅｘｉｔプレートを少なくとも１７５ｍｍ転がらなければならない。重量調整用器具１を用いてボッチャボール１０の重量を調整するときは、重量、外径、及び転がり抵抗を規定の範囲内とすることが望ましい。なお、転がり抵抗の調整は、ボッチャボールの内部における粉粒体１１と空間との体積比により行う。
【００２２】
図２（ａ）の矢印に示すように、ボッチャボール１０の縫目の交点に、開口部材４の被挿入部４１を押し込む。これにより、図２（ｂ）に示すように、ボッチャボール１０の縫目の交点に数ｍｍの開口１０ａが形成される。開口１０ａからは、粉粒体１１が視認される。図２（ｃ）に示すように、パイプ部２の一端部２１を開口１０ａに挿入する。
【００２３】
ボッチャボール１０に粉粒体１１を追加する場合は、図３に示すように、他端部２２から粉粒体１１を入れ、押込ロッド３を用いて粉粒体１１をボッチャボール１０内部に押し込む。ボッチャボール１０から粉粒体１１を取り出す場合は、図４に示すように、ボッチャボール１０を握ることで粉粒体１１を押し出す。図２（ｄ）に示すように、開いた開口１０ａの径はパイプ部２の外径と同一のため、指先で塞ぐことができる。通常、ボッチャボール１０の縫目は辺毎に縫製されていて、それぞれの辺の交点部分は縫目が存在しない。開口部材４を辺の交点に挿入することにより縫糸を切断することなく縫目を開き、重量調整後は縫い直すことなく指先で開口１０ａの周囲の革を寄せることで、開口１０ａを塞ぐことができる。
【００２４】
ボッチャボール１０に入れる粉粒体１１は、本実施の形態ではペレット樹脂を用いたが、重量を増やすために珪砂等を用いてもよい。また、ボッチャボール１０の内部空間が多いと転がり抵抗も大きくなってしまうため、粉粒体１１を増やす、又は粒のサイズを変更する等によって転がり具合の調整が必要となる。
【００２５】
このような構成によると、筒状のパイプ部２の一端部２１が斜めにカットされた形状であるため、ボッチャボール１０に挿入しやすい構造となっている。また、パイプ部２が略円筒状であるため、ボッチャボール１０に一端部２１を挿入してボッチャボール１０を握ることにより、内部の粉粒体１１を取り出すことができる。これにより、簡易な方法でボッチャボールの重量調整を行うことができる。
【００２６】
このような構成によると、押込ロッド３をさらに有しているため、ボッチャボール１０に粉粒体１１を追加するときにパイプ部２内の粉粒体１１をボッチャボール１０に押し込むことができる。さらに、パイプ部２の他端部２２が端に向かうにつれて内径が大きくなるように構成されているため、押込ロッド３をパイプ部２に押込み易い。これにより、簡易な方法でボッチャボール１０の重量調整を行うことができる。
【００２７】
このような構成によると、開口部材４をさらに有しているため、被挿入部４１をボッチャボール１０の縫目に挿入することで簡易に開くことができ、容易にパイプ部２を挿入することができる。また、重量調整後も縫い直し等が不要となり、指でボッチャボール１０に形成された開口１０ａの周囲を指で寄せることにより塞ぐことができる。これにより、簡易な方法でボッチャボール１０の重量調整を行うことができる。
【００２８】
本考案の実施の形態は、上述した実施の形態に限定されず、実用新案登録請求の範囲に記載された考案の要旨の範囲内で種々の変更が可能である。
【００２９】
上記の実施の形態では、重量調整用器具１はパイプ部２と、押込ロッド３と、開口部材４と、を有していたが、これに限定されない。例えば、少なくともパイプ部を有していればボッチャボール１０の重量調整を行うことができる。このときは、ボッチャボール１０に開口を形成するためにパイプ部の先端が細くかつ鋭利になっていることが好ましい。
【符号の説明】
【００３０】
１      ボッチャボールの重量調整用器具
２      パイプ部
３      押込ロッド
４      開口部材
１０    ボッチャボール
１０ａ  開口
１１    粉粒体
２１    一端部
２２    他端部
４１    被挿入部
【図１】
0003234939.tif 000003
【図２】
0003234939.tif 000004
【図３】
0003234939.tif 000005
【図４】
0003234939.tif 000006